(57)【要約】【課題】  パソコンから出力される映像出力において、液晶ディスプレイに表示した場合に、正常に表示されるかの検査を行う。この場合、目視での監視では長時間の検査はできなく効率的ではなく、これが課題となっていた。【解決手段】  正常に表示されているかを、受光装置で感知しそのレベルをパソコンに取り込み合否を判断させる。その情報ネットワークを通じて液晶ディスプレイに出力しているパソコンで取得し、合格の場合は自分を再起動させもう一度最初から検査を行う。これを繰り返し何回で不合格が発生するかを検査する。不合格の場合は３分間不合格の場合は不合格としログを記録し、同じ検査を繰り返す。【選択図】  図１
2005164244.tif 000002
【特許請求の範囲】
【請求項１】
第１の演算手段と記憶手段を設けた装置と第２の演算手段と記憶手段を設けた装置とを使用して液晶表示ディスプレイ装置の検査を行う液晶表示ディスプレイ装置の検査システムであり、前記第２の演算手段と記憶手段を設けた装置を起動したときの映像データを液晶表示ディスプレイ装置に表示し、該液晶表示ディスプレイ装置の光量を測定する受光装置により測定した光量を受光測定器に送信し、該受光測定器により電気データに変換し、この電気データと前記第１の演算手段と記憶手段を設けた装置の記憶手段の内部に設けられている予め記憶されているデータと、比較することにより液晶表示ディスプレイ装置の検査を行うことを特徴とする液晶表示ディスプレイ検査装置。
【請求項２】
前記、第１の演算手段と記憶手段を設けた装置と、第２の演算手段と記憶手段を設けた装置とは、パーソナルコンピュータであることを特徴とする請求項１記載の液晶表示ディスプレイ検査装置。
【発明の詳細な説明】
【技術分野】
【０００１】
本発明はパーソナルコンピュータ（以下、パソコンという）の起動時出力されるデータを、液晶ディスプレイ表示装置に的確に表示させる検査に関するものである。
【背景技術】
【０００２】
パソコンを起動させ、起動後目視で画面表示を検査、判定をしていたか、あるいは、カメラを使い表示されている画面を解析し良否を判断する方法が一般的に知られている。
【特許文献１】特開平０５−０２７７０４。
【発明の開示】
【発明が解決しようとする課題】
【０００３】
しかし、液晶表示ディスプレイ装置を目視で連続して、数多く検査を行うことは現実的には無理であり、効率的ではない。また、前述の通りカメラを使用した検査にも課題がある。それは、設備開発に費用と時間がかっかるだけではなく、画面表示品質、解像度が設定どおり、色数が設定どおり表示されているか、モニター枠内に表示、水平、垂直同期が設定どおり表示されているかという判定基準を設けることが困難であるという課題があった。
【課題を解決するための手段】
【０００４】
本発明は、第１の演算手段と記憶手段を設けた装置、第２の演算手段と記憶手段を設けた装置を使用して、液晶表示ディスプレイ装置の検査を行う検査システムであり、前記第２の演算手段と記憶手段を設けた装置を起動したときの映像データを液晶表示ディスプレイ装置に表示し、該液晶表示ディスプレイ装置の光量を測定する受光装置により測定された光量を受光測定器に送信し、該受光測定器により電気データに変換し、この電気データと前記第１の演算手段と記憶手段を設けた装置の記憶手段の内部に設けられている予め記憶されているデータと比較することにより、液晶表示ディスプレイ装置の検査を行う液晶ディスプレイ検査装置を第１の要旨とするものである。また前記、第１の演算手段と記憶手段を設けた装置、第２の演算手段と記憶手段を設けた装置に、パーソナルコンピュータを使用した液晶ディスプレイ検査装置を提案するものである。
【発明の効果】
【０００５】
本発明の液晶表示ディスプレイ検査装置は、自動的に各項目の検査（解像度、枠内に表示、水平、垂直同期が設定どおりの検査）ができ、システム構成もパソコンが２台、受光測定器、受光装置とネットワーク環境で実現することができる。
【発明を実施するための最良の形態】
【０００６】
第２のパソコンを起動した時に、液晶表示ディスプレイ装置に表示される映像データの光量レベルを測定し、この光量レベルのデータを第１のパソコン内部に設けられている記憶装置に記憶し、予め格納されているデータと比較することにより、液晶表示ディスプレイ装置の良否を判別する。また、パソコンの起動、終了も自動で行う。
【実施例１】
【０００７】
本発明の検査システムについて図を用いて説明する。図１は本発明の検査システムブロック図である。参照符号１は第１のパソコンであり、受光測定器５からのデータを判別する。参照符号２は第２のパソコンであり、液晶表示ディスプレイ装置７に画像を表示させるものである。参照符号３は、ネットワーク（ＴＣＰ／ＩＰ手順）であり、第１のパソコン１と第２のパソコン２を接続するためのネットワークケーブルである。
【０００８】
参照符号４は、第１のパソコン１と受光測定器５を接続するネットワークケーブルであり、ＧＰ−ＩＢ規格で接続する。なお、本実施例では、演算手段と記憶手段を設けた装置として、パソコンを用いた例で説明する。
参照符号５は前記した受光測定器であり、受光装置６が収集した光量を電気的数値に変化計測する装置である。
上記した受光装置６は、液晶表示ディスプレイ装置７からの光量を測定する装置であり、第２のパソコン２からのデータをＶＧＡケーブル８により接続する。
【０００９】
次に検査手順について説明する。先ず始めに第２にパソコン２を起動したときの液晶表示ディスプレイ装置７に基準（解像度、枠内に表示、水平、垂直同期が設定範囲内）どおりに表示されているか否かの検査を行う。第２のパソコン２が起動すると、通常は液晶ディスプレイ表示装置７にＯＳが起動した状態のデスクトップ画面を表示するが、パソコンから出力される水平、垂直同期信号が液晶ディスプレイ表示装置７で受信して表示する場合の水平、垂直同期信号がタイミングによりずれてしまい、そのまま表示されてしまうことがある。上記したようにタイミングがずれているときは、液晶表示ディスプレイ装置７に表示される映像にも当然ずれが発生し、何も表示されない部分が出てきてしまう。正常な場合と異常な場合で、受光装置６で受光した液晶表示ディスプレイ装置７の光を受光測定器５で電圧に変換して読み取る。読み取った液晶表示ディスプレイ装置７の光であるデータを第１のパソコン１により正常か異常かを判定させ、その結果を第１のパソコン内に設けられている記憶装置（図示せず）にファイル形式で連続的に記憶させる。
【００１０】
第２のパソコン２が起動後、第１のパソコン１にネットワークケーブル３を通じて、前記第１のパソコン１内に設けられている記憶装置（図示せず）に格納されているファイルにアクセスし、正常か異常かを読み取り、正常な場合はすぐに正常なログを記憶させ、第２のパソコン２を再起動する。異常なデータ（異常なデータとは、上記した基準である解像度、液晶ディスプレイ表示装置の枠内への表示、水平、垂直同期が設定範囲内）を含まない状態を示す。この状態が３分程度続いた場合は異常として認知し、異常をログに記憶させ、第２のパソコン２を再起動させる。この検査を連続的に行いログを取得することにより検査する。
【００１１】
図１、図２を参照して実際の検査手順について説明する。第２のパソコン２を起動させ、ＯＳが立ち上がると液晶表示ディスプレイ装置７にＯＳが起動した状態のデスクトップ画面が表示される。また、第１のパソコン１では、受光測定器５と受光装置６により、液晶表示ディスプレイ装置７の監視を常時行い、その結果を第１のパソコン１内に設けられている記憶装置（図示せず）にファイルデータとして保存する。
【００１２】
第２のパソコン２では、ＯＳが起動した時点で、第１のパソコン１内の記憶装置に格納されているファイルデータを参照し、正常か異常かの合否を判定させる。判定の結果、正常な状態の場合には、次の検査を行うために第２のパソコン２を再起動させ、また最初から検査を行う。判定の結果異常な状態の場合には、その状態が３分以上続いた時に異常な状態として認定し、その結果を第１のパソコン１内に設けられている記憶装置（図示せず）ファイルに保存する。その後、第２のパソコン２を再起動させ、検査を続ける。
【図面の簡単な説明】
【００１３】
【図１】本発明による液晶パネル表示検査システムの構成図
【図２】本発明による液晶パネル表示検査システムのフロー図
【符号の説明】
【００１４】
１  第１のパソコン
２  第２のパソコン
３  ネットワークケーブル
４  ネットワークケーブル
５  受光測定器
６  受光装置
７  液晶表示ディスプレイ
８  ＶＧＡケーブル  
【図１】
2005164244.tif 000003
【図２】
2005164244.tif 000004